(57)【要約】      （修正有）【課題】ウェットプリンティング方式にてマスターフィルムをデジタルデータに、画質を低下させることなく複製可能とするフィルム複写装置を提供する。【解決手段】マスターフィルム２の保持部１と、この保持部１からマスターフィルム２を送り出すためのローラ部４と、このマスターフィルム２の表面に処理液７をコーティングするウェットゲート５と、このウェットゲート５にて表面を処理したマスターフィルム２に光を照射する光源部１０と、この光源部１０からの光量の調節及び色補正を行いながらマスターフィルム２を映写するプロジェクター８と、このプロジェクター８にて映写された画像をデジタルデータとして取り込み可能とするデジタルカメラ１３と、このデジタルカメラ１３に取り込まれたデジタルデータを記録可能とする記録装置１５と、上記光源の色補正用のタイミングテープ１８を読み取り可能とする読取装置２０とを備える。【選択図】図１
0003190796.tif 000002
【実用新案登録請求の範囲】
【請求項１】
マスターフィルムの保持部と、この保持部からマスターフィルムを送り出すためのローラ部と、このマスターフィルムの表面に処理液をコーティングするウェットゲートと、このウェットゲートにて表面を処理したマスターフィルムに光を照射する光源部と、この光源部からの光量の調節及び色補正を行いながらマスターフィルムを映写するプロジェクターと、このプロジェクターにて映写された画像をデジタルデータとして取り込み可能とするデジタルカメラと、このデジタルカメラに取り込まれたデジタルデータを記録可能とする記録装置と、上記光源の色補正用のタイミングテープを読み取り可能とする読取装置とを備えたことを特徴とするフィルム複写装置。
【考案の詳細な説明】
【技術分野】
【０００１】
本考案は、ウェットプリンティング法にてマスターフィルムを複写するフィルム複写装置に関するものである。
【背景技術】
【０００２】
【特許文献１】特開平７−５６２８３号公報
【０００３】
従来、映画のマスターフィルムを複製する際にはポジフィルムに複製することが一般的であったが、デジタル化が進んだ今日においてはマスターフィルムからデジタルデータへの複製が行われるようになった。このようなデジタルデータへの変換は、ウェットゲート処理を行わないドライプリンティング方式では既に公知となっているが、このドライプリンティング方式の場合には、傷の多いマスターフィルムを複製した場合に複製後の画像の画質が低下するものとなっていた。そのため、複製後にあらためて画像を修正しなければならず手間となっていた。
【０００４】
一方、ウェットプリンティング方式の場合には、特許文献１に示す如くマスターフィルムと同じ屈折率を持つ複写液にてマスターフィルムの表面をコーティングするウェットゲート処理を行うが、このウェットゲート処理を行うと同時にマスターフィルムの複製を行うことができるものであるから、画質を低下させることなく画像を良好な状態で複製することが可能であるため、複製後にあらためて画像の修正作業を行う必要がない。
【考案の開示】
【考案が解決しようとする課題】
【０００５】
しかしながら、ウェットプリンティング方式の場合には、上記ドライプリンティング方式のようにマスターフィルムからデジタルデータに複製する装置が開発されておらず、現在でもマスターフィルムからポジフィルムへの複製のみに限定されるものとなっており、マスターフィルムからデジタルデータへの複製が課題となっていた。
【０００６】
そこで、本考案は上述の如き課題を解決しようとするものであって、ウェットプリンティング方式にてマスターフィルムをデジタルデータに、画質を低下させることなく複製可能とする複写装置を得ようとするものである。
【課題を解決するための手段】
【０００７】
本考案は上述の如き課題を解決するため、マスターフィルムの保持部と、この保持部からマスターフィルムを送り出すためのローラ部と、このマスターフィルムの表面に処理液をコーティングするウェットゲートと、このウェットゲートにて表面を処理したマスターフィルムに光を照射する光源部と、この光源部からの光量の調節及び色補正を行いながらマスターフィルムを映写するプロジェクターと、このプロジェクターにて映写された画像をデジタルデータとして取り込み可能とするデジタルカメラと、このデジタルカメラに取り込まれたデジタルデータを記録可能とする記録装置と、上記光源の色補正用のタイミングテープを読み取り可能とする読取装置とを備えたものである。
【考案の効果】
【０００８】
本考案は上述の如く構成したものであって、ウェットプリンティング方式にてマスターフィルムの画像を複製可能とするものであるから、ウェットゲート処理によりマスターフィルムの画像を修正しながら複製することができる。そのため、複製した画像の画質の低下を防止することができるとともに、複製とウェットゲート処理による修正とを同時に行うことができるため、作業の効率化を図ることが可能となる。
【実施例１】
【０００９】
本考案の実施例１を図１〜４において説明すると、図１に示す如く(1)は保持部であって、複製元となるマスターフィルム(2)を保持する部分である。また、この保持部(1)の上方には、マスターフィルム(2)を送り出すためのローラ(3)を複数配置した保持部側ローラ部(4)を設けている。そして、この保持部側ローラ部(4)の上方には、保持部側ローラ部(4)から送られてきたマスターフィルム(2)をウェットゲート処理するためのウェットゲート(5)を設けている。尚、本実施例における上下左右の方向は、図１〜４の上下左右の方向に準ずるものとしている。
【００１０】
このウェットゲート(5)は、対向する一対の平板から成るセル(6)を設けたものであって、この一対の平板の対向間隔には、マスターフィルム(2)に近い屈折率を備えた処理液(7)で常時満たされている。そのため、上記の如く形成されたセル(6)内にマスターフィルム(2)を通過させると、マスターフィルム(2)の表面が上記処理液(7)にてコーティングされた状態となる。
【００１１】
また、上記ウェットゲート(5)の左側にはプロジェクター(8)を配置するとともに、このプロジェクター(8)の更に左側には、プロジェクター(8)に向けて光を照射する光源部(10)を設けている。そして、上記プロジェクター(8)内には、図２に示す如く光源部(10)からの光の三原色を分離するダイクロイックミラー(11)、及び分離された光の光量を調節する弁(12)が配置されている。
【００１２】
また、上記ウェットゲート(5)のプロジェクター(8)側とは反対側にはデジタルカメラ(13)を設けている。このデジタルカメラ(13)は、レンズ側(14)をウェットゲート(5)のセル(6)に対向させるとともに、プロジェクター(8)及びウェットゲート(5)と並列して配置している。このように、デジタルカメラ(13)をプロジェクター(8)及びウェットゲート(5)と並列して配置することにより、ウェットゲート処理を行った状態のマスターフィルム(2)の画像を、デジタルカメラ(13)に直接投影することができる。
【００１３】
また、上記の如く配置したデジタルカメラ(13)には記録装置(15)を接続し、デジタルカメラ(13)にて取り込んだ画像データをこの記録装置(15)に蓄積保存可能としている。一方、ウェットゲート(5)の上方にはマスターフィルム(2)を巻き取る巻取部(16)が設けられるとともに、この巻取部(16)とウェットゲート(5)との間に巻取部側ローラ部(17)を設け、ウェットゲート(5)を通過したマスターフィルム(2)を、巻取部側ローラ部(17)を介して巻取部(16)に巻取り可能としている。
【００１４】
また、上記デジタルカメラ(13)の更に右側には、タイミングテープ(18)の読取装置(20)を配置している。この読取装置(20)は、上記マスターフィルム(2)に付随する色補正用のタイミングテープ(18)のデータを読み取るものである。そして、このデータをもとにプロジェクター(8)内の弁(12)が作動し、光の三原色の光量を調節可能としている。そのため、オリジナルテープの複製時に、光源からプロジェクター(8)を通じて画像に光を照射する際には、画像に適した色の光をマスターフィルム(2)に照射することが可能となる。従って、マスターフィルム(2)の複製と同時に色補正を行うことが可能となり、複製後にあらためて画像の色補正を行う必要がなく、複製及び色補正を効率良く行うことができる。
【００１５】
上記の如く構成したフィルム複写装置にてフィルムの複写を行う場合について、図１〜４を用いて以下に説明する。まず、複製元となるマスターフィルム(2)を保持部(1)に装着する。このような状態で、保持部(1)のマスターフィルム(2)が保持部側ローラ部(4)によってウェットゲート(5)に送り出され、図２に示す如くウェットゲート(5)のセル(6)内部を通過する。
【００１６】
ここで、セル(6)内部には上記の如くマスターフィルム(2)に近い屈折率を備えた処理液(7)が常時満たされているため、セル(6)を通過する際に、マスターフィルム(2)の表面が処理液(7)によりコーティングされた状態となる。従って、マスターフィルム(2)の表面に傷がついている場合でも、この傷に処理液(7)が入り込むためマスターフィルム(2)の表面の傷による照射光の散乱を抑えることができる。
【００１７】
このように、本実施例のフィルム複写装置ではマスターフィルム(2)の表面に傷がある場合でもウェットゲート(5)にて傷の修正を行いながら複製することが可能であるため、複製先の画像の画質の低下を防ぐことができるとともに、複製後に改めて傷の修正を行う必要がなく作業を効率良く行うことができる。
【００１８】
そして、上記の如くウェットゲート処理したセル(6)内のマスターフィルム(2)に光源部(10)の光を照射することにより、光がプロジェクター(8)内を通過する。この時、プロジェクター(8)内において光の色補正が行われる。即ち、上記の如くマスターフィルム(2)がウェットゲート(5)のセル(6)を通過すると同時に、図４に示す如く読取装置(20)によってタイミングテープ(18)のデータが読み取られ、このデータをもとにプロジェクター(8)内にある弁(12)の開きがコントロールされる。そのため、図３に示す如くダイクロイックミラー(11)により分離された後、赤緑青の三色の光の通過量が上記弁(12)の開きによって調節され、再び赤緑青の光が一つにまとめられてセル(6)内のマスターフィルム(2)に照射される。
【００１９】
そして、上記の如く色補正された光を照射することにより、ウェットゲート処理と色補正とが同時に行われたマスターフィルム(2)の画像がデジタルカメラ(13)のレンズに写されてデジタルカメラ本体(21)に取り込まれ、デジタルデータに変換される。そして、このデジタルデータはデジタルカメラ(13)から記録装置(15)に送られて蓄積保存される。一方、上記の如くウェットゲート(5)のセル(6)を通過したマスターフィルム(2)は、巻取部側ローラ部(17)を通過して巻取部(16)に巻き取られる。
【図面の簡単な説明】
【００２０】
【図１】本考案の実施例１を示す全体概念図。
【図２】図１の部分拡大概念図。
【図３】実施例１の光源部及びプロジェクター内部を示す部分拡大斜視図。
【図４】実施例１の読取装置を示す部分拡大斜視図。
【符号の説明】
【００２１】
１  保持部
２  マスターフィルム
４  保持部側ローラ部
５  ウェットゲート
７  処理液
８  プロジェクター
１０  光源部
１３  デジタルカメラ
１５  記録装置
１８  タイミングテープ
２０  読取装置
【図１】
0003190796.tif 000003
【図２】
0003190796.tif 000004
【図３】
0003190796.tif 000005
【図４】
0003190796.tif 000006